(57)【特許請求の範囲】
【請求項１】
入力信号に応じた変調信号を生成して出力する変調器と、所定の周波数で発振するローカル信号を出力する発振器と、前記変調信号が前記ローカル信号に重畳されてなる送信用信号を増幅する増幅器と、増幅された前記送信用信号の一部である帰還信号が前記ローカル信号に重畳されてなる信号に基づいて、前記変調信号に予め逆歪みを重畳する歪み補償部と、前記帰還信号が前記ローカル信号に重畳されてなる信号に基づいて、増幅された前記送信用信号を監視する監視部と、をそれぞれ有する第１送信機及び第２送信機を備え、
前記第２送信機の前記歪み補償部は、前記第２送信機の前記帰還信号が前記第２送信機の前記ローカル信号に重畳されてなる信号に基づいて、前記第２送信機の前記変調信号に予め逆歪みを重畳し、
前記第２送信機の前記監視部は、前記第１送信機の前記帰還信号が前記第２送信機の前記ローカル信号に重畳されてなる信号に基づいて、前記第１送信機の前記増幅器で増幅された前記送信用信号を監視し、
前記第２送信機は、更に、前記第１送信機の前記帰還信号及び前記第２送信機の前記帰還信号のうちのいずれを前記第２送信機のローカル信号に重畳させるかを選択するためのスイッチを有する
送信システム。
【請求項２】
前記第１送信機の前記変調器で生成された変調信号と、前記第２送信機の前記変調器で生成された変調信号と、を比較する比較部を更に備える
請求項１に記載の送信システム。
【請求項３】
前記第１送信機が出力する前記送信用信号と、前記第２送信機が出力する前記送信用信号と、の何れか一方を選択して最終出力とする出力選択部を更に備える
請求項１又は請求項２に記載の送信システム。
【請求項４】
前記第２送信機の前記監視部は、前記第１送信機が出力する前記送信用信号が最終出力として選択されている期間に、前記第１送信機の前記増幅器で増幅された前記送信用信号を監視する
請求項３に記載の送信システム。
【請求項５】
前記第１送信機の前記監視部は、前記第２送信機が出力する前記送信用信号が最終出力として選択されている期間に、前記第２送信機の前記増幅器で増幅された前記送信用信号を監視する
請求項４に記載の送信システム。
【請求項６】
前記出力選択部は、前記第１送信機の前記監視部及び前記第２送信機の前記監視部の少なくとも何れか一方が異常を検出した場合に、最終出力とする選択を切り替える
請求項３から請求項５の何れか一項に記載の送信システム。
【請求項７】
前記第１送信機の前記発振器と同じ周波数のローカル信号を出力する発振器と、前記第１送信機の前記増幅器で増幅された前記送信用信号を監視する監視部と、を有する監視用ユニットを更に備える
請求項３から請求項５の何れか一項に記載の送信システム。
【請求項８】
前記出力選択部は、前記第１送信機の前記監視部及び前記第２送信機の前記監視部の少なくとも何れか一方が異常を検出し、かつ、前記監視用ユニットの前記監視部が異常を検出した場合に、最終出力とする選択を切り替える
請求項７に記載の送信システム。
【請求項９】
入力信号に応じた変調信号を生成して出力する変調器と、所定の周波数で発振するローカル信号を出力する発振器と、前記変調信号が前記ローカル信号に重畳されてなる送信用信号を増幅する増幅器と、増幅された前記送信用信号の一部である帰還信号が前記ローカル信号に重畳されてなる信号に基づいて、前記変調信号に予め逆歪みを重畳する歪み補償部と、前記帰還信号が前記ローカル信号に重畳されてなる信号に基づいて、増幅された前記送信用信号を監視する監視部と、をそれぞれ有する第１送信機及び第２送信機を用いて行う送信方法であって、
前記第２送信機の前記歪み補償部は、前記第２送信機の前記帰還信号が前記第２送信機の前記ローカル信号に重畳されてなる信号に基づいて、前記第２送信機の前記変調信号に予め逆歪みを重畳し、
前記第２送信機の前記監視部は、前記第１送信機の前記帰還信号が前記第２送信機の前記ローカル信号に重畳されてなる信号に基づいて、前記第１送信機の前記増幅器で増幅された前記送信用信号を監視し、
前記第２送信機は、更に、スイッチを通じて、前記第１送信機の前記帰還信号及び前記第２送信機の前記帰還信号のうちのいずれを前記第２送信機のローカル信号に重畳させるかを選択する
送信方法。
【請求項１０】
入力信号に応じた変調信号を生成して出力する変調器と、所定の周波数で発振するローカル信号を出力する発振器と、前記変調信号が前記ローカル信号に重畳されてなる送信用信号を増幅する増幅器と、をそれぞれ有する第１送信機及び第２送信機の各々のプロセッサを、増幅された前記送信用信号の一部である帰還信号が前記ローカル信号に重畳されてなる信号に基づいて、前記変調信号に予め逆歪みを重畳する歪み補償部と、前記帰還信号が前記ローカル信号に重畳されてなる信号に基づいて、増幅された前記送信用信号を監視する監視部として機能させるプログラムであって、
前記第２送信機の前記歪み補償部は、前記第２送信機の前記帰還信号が前記第２送信機の前記ローカル信号に重畳されてなる信号に基づいて、前記第２送信機の前記変調信号に予め逆歪みを重畳し、
前記第２送信機の前記監視部は、前記第１送信機の前記帰還信号が前記第２送信機の前記ローカル信号に重畳されてなる信号に基づいて、前記第１送信機の前記増幅器で増幅された前記送信用信号を監視し、
前記第２送信機は、更に、スイッチを通じて、前記第１送信機の前記帰還信号及び前記第２送信機の前記帰還信号のうちのいずれを前記第２送信機のローカル信号に重畳させるかを選択する
プログラム。
【発明の詳細な説明】
【技術分野】
【０００１】
本発明は、送信システム、送信方法及びプログラムに関する。
【背景技術】
【０００２】
テレビ放送等に用いられる映像信号を、電磁波を通じて公共に送信する送信システムは、一般に、連続稼働が求められる。そこで、送信機等の故障時に備えて、当該送信機等の冗長化がなされた送信システムが実用化されている。
例えば、送信システムは、同一の送信機を２つ備えるとともに、当該２つの送信機のうちいずれか一方を用いて送信信号を送信し、他方を待機させておく。そして、送信信号を出力している現用系の送信機において何らかの異常（故障、障害）が検出された場合には、直ちに、待機していた待機系の送信機に切り替えて送信信号を送信する（例えば、特許文献１参照）。
このようにすることで、送信機に障害が発生した場合であっても、映像信号を途切らせることなく送信することができる。
【０００３】
なお、上記に関連する技術として、複数の計算機と複数のＰＣＩデバイスをＰＣＩスイッチで接続した複合型計算機システムに関し、特に、現用系と待機系の計算機を備えて、現用系に障害が発生したときに、待機系を稼働させてＰＣＩデバイスを引き継ぐ制御技術が開示されている（特許文献２参照）。
【先行技術文献】
【特許文献】
【０００４】
【特許文献１】特開２００２−１１２１２３号公報
【特許文献２】特開２００９−２５８９７８号公報
【発明の概要】
【発明が解決しようとする課題】
【０００５】
上述の送信システムにおいては、例えば、各送信機は、各々の内部処理を監視して自己診断（セルフチェック）する機能を備えている。この場合、送信システムは、自己診断の結果、現用系の送信機に何らかの異常が検出された場合には、出力選択部を用いて、最終出力を自動的に現用系の送信機から待機系の送信機に切り替える処理を行う。
【０００６】
しかしながら、送信機の内部で発生し得る障害には様々なものがあり、種々の要因によって引き起こされることが把握されている。そして、その構成上の仕組みにより、送信機自身による自己診断ができない障害も多数存在する。そうすると、現用系の送信機に生じた障害によっては、当該障害の発生を検出することができず、待機系の送信機に適切に切り替わらない場合が生じ得る。
【０００７】
本発明は、上記課題を解決するものであって、その目的は、２つ以上の送信機を有する送信システムにおいて、一方の送信機に障害が発生した場合に、他方の送信機に適切に切り替えることができる送信システム、送信方法及びプログラムを提供することにある。
【課題を解決するための手段】
【０００８】
本発明の一態様は、入力信号に応じた変調信号を生成して出力する変調器と、所定の周波数で発振するローカル信号を出力する発振器と、前記ローカル信号に前記変調信号が重畳されてなる送信用信号を増幅する増幅器と、増幅された前記送信用信号を監視する監視部と、をそれぞれ有する第１送信機及び第２送信機を備え、前記第２送信機の前記監視部は、前記第１送信機の前記増幅器で増幅された前記送信用信号を監視する送信システムである。
【０００９】
また、本発明の一態様は、入力信号に応じた変調信号を生成して出力する変調器と、所定の周波数で発振するローカル信号を出力する発振器と、前記ローカル信号に前記変調信号が重畳されてなる送信用信号を増幅する増幅器と、増幅された前記送信用信号を監視する監視部と、をそれぞれ有する第１送信機及び第２送信機を用いて行う送信方法であって、前記第２送信機の前記監視部が、前記第１送信機の前記増幅器で増幅された前記送信用信号を監視するステップを有する送信方法である。
【００１０】
また、本発明の一態様は、入力信号に応じた変調信号を生成して出力する変調器と、所定の周波数で発振するローカル信号を出力する発振器と、前記ローカル信号に前記変調信号が重畳されてなる送信用信号を増幅する増幅器と、をそれぞれ有する第１送信機及び第２送信機の各々のプロセッサを、増幅された前記送信用信号を監視する監視手段として機能させるプログラムであって、前記第２送信機の前記監視手段が、前記第１送信機の前記増幅器で増幅された前記送信用信号を監視するプログラムである。
【発明の効果】
【００１１】
上述の送信システム、送信方法及びプログラムによれば、２つ以上の送信機を有する送信システムにおいて、一方の送信機に障害が発生した場合に、他方の送信機に適切に切り替えることができる。
【図面の簡単な説明】
【００１２】
【図１】第１の実施形態に係る送信システムの機能構成を示す図である。
【図２】対比例に係る送信システムの機能構成を示す図である。
【図３】第１の実施形態の変形例に係る送信システムの機能構成を示す図である。
【図４】第２の実施形態に係る送信システムの機能構成を示す図である。
【図５】第２の実施形態に係る送信システムの処理フローを示す図である。
【図６】第２の実施形態の変形例に係る送信システムの機能構成を示す図である。
【発明を実施するための形態】
【００１３】
＜第１の実施形態＞
以下、第１の実施形態及びその変形例に係る送信システムについて、図１〜図３を参照しながら詳細に説明する。
図１に示す送信システム１は、当該送信システム１への入力信号である映像信号の入力を受け付けて、当該映像信号に応じた送信用信号を出力する。ここで、映像信号とは、テレビ放送等における具体的な放送内容（映像や音声等）を情報として含むデジタル信号である。また、送信用信号とは、上記映像信号に含まれる情報を電磁波に重畳させて大気中に放射させるための信号であって、具体的には、電磁波として大気中に放射可能な高周波数（ＵＨＦ帯等に属する周波数）で発振し、かつ、映像信号に応じた変調がなされた信号である。
【００１４】
（全体構成）
図１に示すように、送信システム１は、第１送信機１０Ａと、第２送信機１０Ｂと、切替制御部２０と、出力選択部２１と、を備えている。
第１送信機１０Ａ及び第２送信機１０Ｂは、逐次入力される映像信号を送信用信号に変換して出力する装置である。ここで、第１送信機１０Ａと第２送信機１０Ｂとは、同様の仕様として作製された同型の装置である。第１送信機１０Ａ及び第２送信機１０Ｂの何れか一方は、現用系（送信システム１の運用上、実際に使用される送信機）とされ、他方は、待機系（現用系の送信機に異常が生じた場合の代替機）とされる。
【００１５】
切替制御部２０は、第１送信機１０Ａ、第２送信機１０Ｂから出力される所定の制御信号（異常発報信号）に基づいて、出力選択部２１を制御する。
出力選択部２１は、第１送信機１０Ａが出力する送信用信号、及び、第２送信機１０Ｂが出力する送信用信号の何れか一方を選択して出力する。ここで選択された送信用信号が送信システム１の最終出力となる。出力選択部２１は、切替制御部２０からの切替制御用の制御信号に基づいて、選択の切替を行う。
【００１６】
（第１送信機の機能構成）
図１に示すように、第１送信機１０Ａは、制御部１００Ａと、変調器１０１Ａと、歪み補償部１０２Ａと、Ｄ／Ａ変換器１０３Ａと、混合器１０４Ａと、発振器１０５Ａと、増幅器１０６Ａと、分配器１０７Ａと、混合器１０８Ａと、Ａ／Ｄ変換器１０９Ａと、監視部１１０Ａと、スイッチ１１１Ａと、を備えている。
【００１７】
制御部１００Ａは、第１送信機１０Ａの全体の処理を司るプロセッサである。具体的には、制御部１００Ａは、変調器１０１Ａにおける変調処理の制御、増幅器１０６Ａにおける増幅の度合いの制御（ゲイン制御）等を行う。また、制御部１００Ａは、監視部１１０Ａから監視の結果の入力を受け付けて、何らかの異常が検出された場合に、そのことを外部（切替制御部２０等）に発報、通知するための異常発報信号を出力する。
【００１８】
変調器１０１Ａは、第１送信機１０Ａに逐次入力される映像信号に応じた変調信号を生成して出力する。変調器１０１Ａが生成する変調信号は、具体的には、予め規定された変調方式（ＯＦＤＭ（Orthogonal Frequency Division Multiplexing）等）に準ずるデジタル信号である。
【００１９】
歪み補償部１０２Ａは、増幅器１０６Ａの増幅に伴う歪みの発生を補償する。具体的には、歪み補償部１０２Ａは、増幅器１０６Ａが出力する送信用信号（増幅後の送信信号）の一部を取り込んで当該送信用信号に生じている歪み特性を取得するとともに、この歪み特性を相殺するための逆歪みを予め変調信号に重畳する。このように、増幅器１０６Ａで生じた歪み特性を上流側にフィードバックして相殺することで、歪みが低減された高品質な送信用信号が出力される。
【００２０】
Ｄ／Ａ変換器１０３Ａは、デジタル信号である変調信号（歪み補償部１０２Ａにより歪み補償がなされた変調信号）をアナログ信号に変換する。
【００２１】
混合器１０４Ａは、Ｄ／Ａ変換器１０３Ａでアナログ信号とされた変調信号に、発振器１０５Ａが出力するローカル信号（後述）を重畳して、送信用信号の周波数にアップコンバートする。これにより、ローカル信号に変調信号が重畳されてなる送信用信号が生成される。
【００２２】
発振器１０５Ａは、第１送信機１０Ａ内において、予め規定された所定の周波数で発振するローカル信号を出力する発振源（ローカル発振器）である。ここで、発振器１０５Ａが出力するローカル信号は、電磁波の搬送波（キャリア）としての高周波数（ＵＨＦ帯等に属する周波数）で発振する正弦波の高周波信号である。
【００２３】
増幅器１０６Ａは、混合器１０４Ａにおいて生成された送信用信号（ローカル信号に変調信号が重畳されてなる信号）を増幅して出力する。増幅器１０６Ａで増幅された送信用信号は、第１送信機１０Ａの出力とされる。
増幅器１０６Ａは、送信用信号に対し主として振幅に応じた歪みを生じさせ得るが、ここで生じた歪みは、上記歪み補償部１０２Ａの処理によって低減される。
【００２４】
分配器１０７Ａは、増幅器１０６Ａで増幅された送信用信号（第１送信機１０Ａの出力とされる送信用信号）を分配して、その一部を、歪み補償部１０２Ａによる補償用のフィードバック、又は、第２送信機１０Ｂの監視部１１０Ｂによる監視用（後述）に用いる帰還信号として出力する。分配器１０７Ａが出力する帰還信号は、第１送信機１０Ａのスイッチ１１１Ａ、及び、第２送信機１０Ｂのスイッチ１１１Ｂに向けて出力される。
【００２５】
混合器１０８Ａは、後述するスイッチ１１１Ａを介して、第１送信機１０Ａの分配器１０７Ａ、又は、第２送信機１０Ｂの分配器１０７Ｂを介して取得された帰還信号（増幅後の送信用信号の一部）に、発振器１０５Ａが出力するローカル信号を重畳して、アナログ信号としての変調信号の周波数にダウンコンバートする。これにより、帰還信号から、増幅器１０６Ａで増幅された送信用信号、又は、増幅器１０６Ｂで増幅された送信用信号に対応する変調信号が抽出される。
【００２６】
Ａ／Ｄ変換器１０９Ａは、アナログ信号である変調信号（帰還信号から抽出された変調信号）をデジタル信号に変換する。
分配器１０７Ａが出力する帰還信号から抽出された変調信号は、Ａ／Ｄ変換器１０９Ａによりデジタル信号に変換された後、歪み補償部１０２Ａに向けて出力される。歪み補償部１０２Ａは、この変調信号に基づいて増幅器１０６Ａで増幅された送信用信号に生じた歪み特性を解析し、これを相殺するための歪み補償動作（逆歪みの重畳）を行う。
【００２７】
第１送信機１０Ａの監視部１１０Ａは、第２送信機１０Ｂの増幅器１０６Ｂで増幅された送信用信号（第２送信機１０Ｂの出力とされる送信用信号）を監視する。具体的には、監視部１１０Ａは、第２送信機１０Ｂの分配器１０７Ｂが出力する帰還信号から抽出され、かつ、Ａ／Ｄ変換器１０９Ａでデジタル信号に変換された変調信号に基づいて、第２送信機１０Ｂの増幅器１０６Ｂで増幅された送信用信号の品質を監視する。
監視部１１０Ａは、当該送信用信号の品質の監視の結果を、制御部１００Ａに向けて出力する。監視部１１０Ａによる監視の結果を受け付けた制御部１００Ａは、当該送信用信号の品質の度合いが予め規定された条件を満たさなくなった場合に、第２送信機１０Ｂに何らかの異常が生じたものとみなして、上述の異常発報信号を切替制御部２０等に向けて出力する。
なお、監視部１１０Ａが監視の対象とする送信用信号の“品質”とは、具体的には、例えば、ＩＭ（Inter Modulation）、ＭＥＲ（Modulation Error Ratio）等である。
【００２８】
スイッチ１１１Ａは、第１送信機１０Ａの分配器１０７Ａを介して取得された帰還信号と、第２送信機１０Ｂの分配器１０７Ｂを介して取得された帰還信号と、の入力を受け付けて、その何れか一方を選択して出力する。
スイッチ１１１Ａが第１送信機１０Ａの分配器１０７Ａからの帰還信号を選択している場合、混合器１０８Ａには、当該分配器１０７Ａからの帰還信号が出力される。この帰還信号は、上述したように、歪み補償部１０２Ａによる歪み補償動作に用いられる。
一方、スイッチ１１１Ａが第２送信機１０Ｂの分配器１０７Ｂからの帰還信号を選択している場合、混合器１０８Ａには、当該分配器１０７Ｂからの帰還信号が出力される。この帰還信号は、監視部１１０Ａによる第２送信機１０Ｂの増幅器１０６Ｂで増幅された送信用信号（第２送信機１０Ｂの出力とされる送信用信号）の監視に用いられる。
【００２９】
（第２送信機の機能構成）
図１に示すように、第２送信機１０Ｂは、制御部１００Ｂと、変調器１０１Ｂと、歪み補償部１０２Ｂと、Ｄ／Ａ変換器１０３Ｂと、混合器１０４Ｂと、発振器１０５Ｂと、増幅器１０６Ｂと、分配器１０７Ｂと、混合器１０８Ｂと、Ａ／Ｄ変換器１０９Ｂと、監視部１１０Ｂと、スイッチ１１１Ｂと、を備えている。
【００３０】
制御部１００Ｂは、第２送信機１０Ｂの全体の処理を司るプロセッサである。具体的には、制御部１００Ｂは、変調器１０１Ｂにおける変調処理の制御、増幅器１０６Ｂにおける増幅の度合いの制御等を行う。また、制御部１００Ｂは、監視部１１０Ｂから監視の結果の入力を受け付けて、何らかの異常が検出された場合に、そのことを外部（切替制御部２０等）に発報、通知するための異常発報信号を出力する。
【００３１】
変調器１０１Ｂは、第２送信機１０Ｂに逐次入力される映像信号に応じた変調信号を生成して出力する。第２送信機１０Ｂの変調器１０１Ｂの機能、性能は、第１送信機１０Ａの変調器１０１Ａと同様とされる。
なお、第１送信機１０Ａの変調器１０１Ａ及び第２送信機１０Ｂの変調器１０１Ｂには、同一の映像信号が同時並列的に入力される。
【００３２】
歪み補償部１０２Ｂは、増幅器１０６Ｂの増幅に伴う歪みの発生を補償する。具体的には、歪み補償部１０２Ｂは、第１送信機１０Ａの歪み補償部１０２Ａと同様、増幅器１０６Ｂで増幅された送信用信号の一部を取り込んで当該送信用信号に生じている歪み特性を取得するとともに、この歪み特性を相殺するための逆歪みを予め変調信号に重畳する。
【００３３】
Ｄ／Ａ変換器１０３Ｂは、第１送信機１０ＡのＤ／Ａ変換器１０３Ａと同様、デジタル信号である変調信号（歪み補償部１０２Ｂにより歪み補償がなされた変調信号）をアナログ信号に変換する。
【００３４】
混合器１０４Ｂは、Ｄ／Ａ変換器１０３Ｂでアナログ信号とされた変調信号に、発振器１０５Ｂが出力するローカル信号を重畳して、送信用信号の周波数にアップコンバートする。これにより、ローカル信号に変調信号が重畳されてなる送信用信号が生成される。
【００３５】
発振器１０５Ｂは、第２送信機１０Ｂ内において、予め規定された周波数で発振するローカル信号を出力する発振源（ローカル発振器）である。ここで、発振器１０５Ｂが出力するローカル信号は、第１送信機１０Ａの発振器１０５Ａが出力するローカル信号と同じ周波数で発振する正弦波の高周波信号である。
【００３６】
増幅器１０６Ｂは、混合器１０４Ｂにおいて生成された送信用信号（ローカル信号に変調信号が重畳されてなる信号）を増幅して出力する。増幅器１０６Ｂで増幅された送信用信号は、第２送信機１０Ｂの出力とされる。
なお、増幅器１０６Ｂの機能、性能は、第１送信機１０Ａの増幅器１０６Ａと同様とされている。
【００３７】
分配器１０７Ｂは、増幅器１０６Ｂで増幅された送信用信号（第２送信機１０Ｂの出力とされる送信用信号）を分配して、その一部を、歪み補償部１０２Ｂによる補償用のフィードバック、又は、上述した第１送信機１０Ａの監視部１１０Ａによる監視用に用いる帰還信号として出力する。分配器１０７Ｂが出力する帰還信号は、第２送信機１０Ｂのスイッチ１１１Ｂ、及び、第１送信機１０Ａのスイッチ１１１Ａに向けて出力される。
【００３８】
混合器１０８Ｂは、後述するスイッチ１１１Ｂを介して、第２送信機１０Ｂの分配器１０７Ｂ、又は、第１送信機１０Ａの分配器１０７Ａを介して取得された帰還信号（増幅後の送信用信号の一部）に、発振器１０５Ｂが出力するローカル信号を重畳して、アナログ信号としての変調信号の周波数にダウンコンバートする。これにより、帰還信号から、増幅器１０６Ｂで増幅された送信用信号、又は、増幅器１０６Ａで増幅された送信用信号に対応する変調信号が抽出される。
【００３９】
Ａ／Ｄ変換器１０９Ｂは、アナログ信号である変調信号（帰還信号から抽出された変調信号）をデジタル信号に変換する。
分配器１０７Ｂが出力する帰還信号から抽出された変調信号は、Ａ／Ｄ変換器１０９Ｂによりデジタル信号に変換された後、歪み補償部１０２Ｂに向けて出力される。歪み補償部１０２Ｂは、この変調信号に基づいて増幅器１０６Ｂで増幅された送信用信号に生じた歪み特性を解析し、これを相殺するための歪み補償動作（逆歪みの重畳）を行う。
【００４０】
第２送信機１０Ｂの監視部１１０Ｂは、第１送信機１０Ａの増幅器１０６Ａで増幅された送信用信号（第１送信機１０Ａの出力とされる送信用信号）を監視する。具体的には、監視部１１０Ｂは、第１送信機１０Ａの分配器１０７Ａが出力する帰還信号から抽出され、かつ、Ａ／Ｄ変換器１０９Ｂでデジタル信号に変換された変調信号に基づいて、第１送信機１０Ａの増幅器１０６Ａで増幅された送信用信号の品質を監視する。
監視部１１０Ｂは、当該送信用信号の品質の監視の結果を、制御部１００Ｂに向けて出力する。監視部１１０Ｂによる監視の結果を受け付けた制御部１００Ｂは、当該送信用信号の品質の度合いが予め規定された条件を満たさなくなった場合に、第１送信機１０Ａに何らかの異常が生じたものとみなして、上述の異常発報信号を切替制御部２０等に向けて出力する。
なお、監視部１１０Ｂにおける監視の態様は、第１送信機１０Ａの監視部１１０Ａにおいて行われる態様と同様とされる。
【００４１】
スイッチ１１１Ｂは、第２送信機１０Ｂの分配器１０７Ｂを介して取得された帰還信号と、第１送信機１０Ａの分配器１０７Ａを介して取得された帰還信号と、の入力を受け付けて、その何れか一方を選択して出力する。
スイッチ１１１Ｂが第２送信機１０Ｂの分配器１０７Ｂからの帰還信号を選択している場合、混合器１０８Ｂには、当該分配器１０７Ｂからの帰還信号が出力される。この帰還信号は、上述したように、歪み補償部１０２Ｂによる歪み補償動作に用いられる。
一方、スイッチ１１１Ｂが第１送信機１０Ａの分配器１０７Ａからの帰還信号を選択している場合、混合器１０８Ｂには、当該分配器１０７Ａからの帰還信号が出力される。この帰還信号は、監視部１１０Ｂによる第１送信機１０Ａの増幅器１０６Ａで増幅された送信用信号（第１送信機１０Ａの出力とされる送信用信号）の監視に用いられる。
【００４２】
（送信システムの動作）
以上のように、第１の実施形態に係る送信システム１は、同様の機能、性能を有する２台の送信機（第１送信機１０Ａ、第２送信機１０Ｂ）を有してなる。そして、この送信システム１では、第２送信機１０Ｂの監視部１１０Ｂが第１送信機１０Ａの増幅器１０６Ａで増幅された送信用信号を監視し、第１送信機１０Ａの監視部１１０Ａが第２送信機１０Ｂの増幅器１０６Ｂで増幅された送信用信号を監視する構成とされている。
【００４３】
ここで、第１送信機１０Ａが現用系とされ、第２送信機１０Ｂが待機系とされていた場合（即ち、出力選択部２１で第１送信機１０Ａが出力する送信用信号が最終出力として選択されていた場合）を考える。この場合、第１送信機１０Ａのスイッチ１１１Ａ及び第２送信機１０Ｂのスイッチにおいては、現用系である第１送信機１０Ａの分配器１０７Ａが出力する帰還信号が選択される。
これにより、歪み補償部１０２Ａには、分配器１０７Ａが出力する帰還信号から抽出された変調信号が入力され、第１送信機１０Ａの増幅器１０６Ａで生じ得る歪みを補償するための歪み補償動作がなされる。また、第２送信機１０Ｂの監視部１１０Ｂには、分配器１０７Ａが出力する帰還信号から抽出された変調信号が入力され、第１送信機１０Ａの増幅器１０６Ａで増幅された送信用信号の監視がなされる。
【００４４】
一方、第２送信機１０Ｂが現用系とされ、第１送信機１０Ａが待機系とされていた場合（即ち、出力選択部２１で第２送信機１０Ｂが出力する送信用信号が最終出力として選択されていた場合）を考える。この場合、第１送信機１０Ａのスイッチ１１１Ａ及び第２送信機１０Ｂのスイッチにおいては、現用系である第２送信機１０Ｂの分配器１０７Ｂが出力する帰還信号が選択される。
これにより、歪み補償部１０２Ｂには、分配器１０７Ｂが出力する帰還信号から抽出された変調信号が入力され、第２送信機１０Ｂの増幅器１０６Ｂで生じ得る歪みを補償するための歪み補償動作がなされる。また、第１送信機１０Ａの監視部１１０Ａには、分配器１０７Ｂが出力する帰還信号から抽出された変調信号が入力され、第２送信機１０Ｂの増幅器１０６Ｂで増幅された送信用信号の監視がなされる。
【００４５】
（作用効果）
図２は、対比例に係る送信システムの機能構成を示す図である。
ここで、第１の実施形態に係る送信システム１（図１）と、対比例に係る送信システム９（図２）と、を対比しながら、第１の実施形態に係る送信システム１の作用効果について説明する。
【００４６】
図２に示すように、送信システム９は、第１の実施形態に係る送信システム１と同様に、第１送信機１０Ａと、第２送信機１０Ｂと、切替制御部２０と、出力選択部２１と、を備えている。
送信システム９においても、第１送信機１０Ａと第２送信機１０Ｂとは、同様の仕様として作製された同型の装置であり、第１送信機１０Ａ及び第２送信機１０Ｂの何れか一方が現用系とされ、他方が待機系とされて運用される。また、切替制御部２０及び出力選択部２１の機能については、第１の実施形態に係る送信システム１と同様である。
【００４７】
図２に示すように、送信システム９を構成する第１送信機１０Ａ及び第２送信機１０Ｂは、それぞれ、歪み補償部１０２Ａ及び歪み補償部１０２Ｂによる歪み補償機能に加え、監視部１１０Ａ及び監視部１１０Ｂに基づく自己診断機能を有している。
【００４８】
即ち、送信システム９において、第１送信機１０Ａの監視部１１０Ａは、増幅器１０６Ａで増幅された送信用信号（第１送信機１０Ａの出力とされる送信用信号）を監視する。より具体的には、監視部１１０Ａは、分配器１０７Ａが出力する帰還信号から抽出され、かつ、Ａ／Ｄ変換器１０９Ａでデジタル信号に変換された変調信号に基づいて、増幅器１０６Ａで増幅された送信用信号の品質を監視する。
監視部１１０Ａは、当該送信用信号の品質の監視の結果を、制御部１００Ａに向けて出力する。監視部１１０Ａによる監視の結果を受け付けた制御部１００Ａは、当該送信用信号の品質の度合いが予め規定された条件を満たさなくなった場合に、第１送信機１０Ａ自身に何らかの異常が生じたものとみなして、上述の異常発報信号を切替制御部２０等に向けて出力する。
【００４９】
同様に、送信システム９において、第２送信機１０Ｂの監視部１１０Ｂは、増幅器１０６Ｂで増幅された送信用信号（第２送信機１０Ｂの出力とされる送信用信号）を監視する。より具体的には、監視部１１０Ｂは、分配器１０７Ｂが出力する帰還信号から抽出され、かつ、Ａ／Ｄ変換器１０９Ｂでデジタル信号に変換された変調信号に基づいて、増幅器１０６Ｂで増幅された送信用信号の品質を監視する。
監視部１１０Ｂは、当該送信用信号の品質の監視の結果を、制御部１００Ｂに向けて出力する。監視部１１０Ｂによる監視の結果を受け付けた制御部１００Ｂは、当該送信用信号の品質の度合いが予め規定された条件を満たさなくなった場合に、第２送信機１０Ｂ自身に何らかの異常が生じたものとみなして、上述の異常発報信号を切替制御部２０等に向けて出力する。
【００５０】
上述の送信システム９における第１送信機１０Ａの自己診断機能によれば、例えば、増幅器１０６Ａの増幅特性に異常が生じた場合には、監視部１１０Ａは、帰還信号から抽出された変調信号に基づいて当該異常を検出することができる（第２送信機１０Ｂについても同様である）。
【００５１】
しかしながら、送信システム９において、例えば、発振器１０５Ａが出力するローカル信号の特性そのものに異常（周波数の変動、位相雑音の悪化等）が生じた場合は、以下のような事象が想定される。
即ち、混合器１０４Ａは、異常が生じている発振器１０５Ａから出力されるローカル信号に変調信号を重畳して送信用信号を生成する。一方、混合器１０８Ａは、同一の異常が生じているローカル信号に基づいて帰還信号（増幅器１０６Ａで増幅された送信用信号の一部）から変調信号を抽出する。そうすると、異常が生じている同一のローカル信号に基づいてアップコンバート（変調信号の重畳）及びダウンコンバート（変調信号の抽出）がなされるため、監視部１１０Ａに入力される変調信号には当該ローカル信号の異常が反映されない。
したがって、対比例に係る送信システム９の、監視部１１０Ａに基づく自己診断機能によっては、発振器１０５Ａで生じた障害を検出することができない（第２送信機１０Ｂについても同様である）。
【００５２】
一方、第１の実施形態に係る送信システム１によれば、第２送信機１０Ｂの監視部１１０Ｂが第１送信機１０Ａの増幅器１０６Ａで増幅された送信用信号を監視する。
このようにすることで、第１送信機１０Ａの発振器１０５Ａが出力するローカル信号に変調信号が重畳されるとともに、第２送信機１０Ｂの発振器１０５Ｂが出力するローカル信号に基づいて帰還信号から変調信号が抽出される。即ち、アップコンバート時に用いるローカル信号とダウンコンバート時に用いるローカル信号が異なっている。そうすると、第１送信機１０Ａの発振器１０５Ａが出力する、変調信号が重畳されるローカル信号に異常が生じていたとしても、第２送信機１０Ｂの発振器１０５Ｂが出力する、異常が生じていないローカル信号に基づいて変調信号が抽出されるため、当該変調信号には発振器１０５Ａの異常が反映される。
したがって、第１の実施形態に係る送信システム１によれば、第１送信機１０Ａの発振器１０５Ａで生じた障害を、第２送信機１０Ｂの監視部１１０Ｂにおいて検出することができる。
【００５３】
また、第１の実施形態に係る送信システム１によれば、第１送信機１０Ａの監視部１１０Ａが第２送信機１０Ｂの増幅器１０６Ｂで増幅された送信用信号を監視する。
このようにすることで、第２送信機１０Ｂの発振器１０５Ｂが出力する、変調信号が重畳されるローカル信号に異常が生じていたとしても、第１送信機１０Ａの発振器１０５Ａが出力する、異常が生じていないローカル信号に基づいて変調信号が抽出されるため、当該変調信号には発振器１０５Ａの異常が反映される。
したがって、第１の実施形態に係る送信システム１によれば、第２送信機１０Ｂの発振器１０５Ｂで生じた障害を、第１送信機１０Ａの監視部１１０Ａにおいて検出することができる。
【００５４】
このように、第１の実施形態に係る送信システム１は、待機系の送信機を用いて現用系の送信機の監視を行うことで、送信機自身では自己診断できない異常についても検出することができる。
以上、第１の実施形態に係る送信システム１によれば、２つ以上の送信機を有する送信システムにおいて、一方の送信機に障害が発生した場合に、他方の送信機に適切に切り替えることができる。
【００５５】
また、第１の実施形態に係る送信システム１によれば、第１送信機１０Ａが出力する送信用信号と、第２送信機１０Ｂが出力する送信用信号と、の何れか一方を選択して最終出力とする出力選択部２１を更に備えている。
このようにすることで、第１送信機１０Ａ、第２送信機１０Ｂのうちの一方の送信機に障害が発生した場合であっても、直ちに他方の送信機の出力に切り替えることができる。したがって、映像信号を途切らせることなく送信することができる。
【００５６】
また、第１の実施形態に係る送信システム１によれば、第２送信機１０Ｂの監視部１１０Ｂは、第１送信機１０Ａが出力する送信用信号が最終出力として選択されている期間に、第１送信機１０Ａの増幅器１０６Ａで増幅された送信用信号を監視する。また、第１送信機１０Ａの監視部１１０Ａは、第２送信機１０Ｂが出力する送信用信号が最終出力として選択されている期間に、第２送信機１０Ｂの増幅器１０６Ｂで増幅された送信用信号を監視する。
このようにすることで、第１送信機１０Ａ、第２送信機１０Ｂの何れが現用系の送信機として選択された場合であっても、待機系として選択された他方側の送信機において、現用系の送信機の出力の監視が行われる。したがって、送信システム１における現用系の送信機の切り替えを簡便に行うことができる。
【００５７】
（第１の実施形態の変形例）
以上、第１の実施形態に係る送信システム１について詳細に説明したが、送信システム１の具体的な態様は、上述のものに限定されることはなく、要旨を逸脱しない範囲内において種々の設計変更等を加えることは可能である。
【００５８】
図３は、第１の実施形態の変形例に係る送信システムの機能構成を示す図である。
図３に示すように、第１の実施形態の変形例に係る送信システム１の第２送信機１０Ｂは、更に、比較部１１２Ｂを有している。
比較部１１２Ｂは、第１送信機１０Ａの変調器１０１Ａで生成された変調信号と、第２送信機１０Ｂの変調器１０１Ｂで生成された変調信号と、の入力を受け付けて両者を比較する。また、比較部１１２Ｂは、比較の結果（両者が一致しているか否か）を逐次制御部１００Ｂに向けて出力する。
比較部１１２Ｂによる比較の結果を受け付けた制御部１００Ｂは、第１送信機１０Ａの変調器１０１Ａで生成された変調信号と、第２送信機１０Ｂの変調器１０１Ｂで生成された変調信号と、が異なっていた場合に、第１送信機１０Ａの変調器１０１Ａに何らかの異常が生じたものとみなして、上述の異常発報信号を切替制御部２０等に向けて出力する。
【００５９】
対比例に係る送信システム９においては、変調器１０１Ａの変調処理に異常（ラッチミス、データ化け等）が生じた場合に、対比の対象（正しい変調信号）が存在しないため、自己診断することができない。
一方、上述の第１の実施形態の変形例に係る送信システム１によれば、第１送信機１０Ａの変調器１０１Ａで何らかの異常が発生した場合には、比較部１１２Ｂにより、第２送信機１０Ｂの変調器１０１Ｂからの変調信号との対比において、両者が一致しないという判定結果が出力される。したがって、変調器１０１Ａ異常が発生した場合には、当該異常を検出することができる。
【００６０】
以上、第１の実施形態の変形例に係る送信システム１によれば、発振器１０５Ａ、発振器１０５Ｂにおいて異常が発生した場合、及び、変調器１０１Ａ、変調器１０１Ｂにおいて異常が発生した場合の両方を検出することができる。
【００６１】
なお、第１の実施形態の変形例に係る送信システム１においては、第２送信機１０Ｂの内部に比較部１１２Ｂが具備されるものとして説明したが、他の実施形態においてはこの態様に限定されない。
例えば、比較部１１２Ｂは、第１送信機１０Ａの内部に具備される態様であってもよいし、第１送信機１０Ａ、第２送信機１０Ｂの何れでもない他の装置に含まれる態様であってもよい。
また、比較部１１２Ｂは、比較の結果（両者が一致しているか否か）を、第２送信機１０Ｂの制御部１００Ｂではなく、第１送信機１０Ａの制御部１００Ａに向けて出力してもよい。
【００６２】
＜第２の実施形態＞
次に、第２の実施形態及びその変形例に係る送信システムについて、図４〜図６を参照しながら詳細に説明する。
上述の第１の実施形態に係る送信システム１では、現用系である第１送信機１０Ａの発振器１０５Ａに何らかの異常が生じた場合に、待機系である第２送信機１０Ｂの発振器１０５Ｂ及び監視部１１０Ｂを通じて当該異常を検出できる旨を説明した。しかしながら、この場合、現用系である第１送信機１０Ａの発振器１０５Ａが正常であるにもかかわらず、待機系である第２送信機１０Ｂの発振器１０５Ｂに異常が生じたために、監視部１１０Ｂが異常を検出する場合も想定される。即ち、第１送信機１０Ａの発振器１０５Ａと、第２送信機１０Ｂの発振器１０５Ｂと、のいずれに実際に異常が生じているかを判別することができない。
また、第１の実施形態の変形例に係る送信システム１においても、第１送信機１０Ａの変調器１０１Ａが出力する変調信号と第２送信機１０Ｂの変調器１０１Ｂが出力する変調信号とが一致しなかったとしても、いずれに異常が生じているのかを判別することができない。
【００６３】
（監視用ユニットの機能構成）
図４は、第２の実施形態に係る送信システムの機能構成を示す図である。
そこで、第２の実施形態に係る送信システム１は、図４に示すように、第１送信機１０Ａ、第２送信機１０Ｂ、切替制御部２０及び出力選択部２１に加え、更に、監視用ユニット３０を備えている。
監視用ユニット３０は、第１送信機１０Ａ又は第２送信機１０Ｂの内部に組み込まれるユニット（変調ユニット）であって、通常、送信システム１の運用上、予備として保管される。
具体的には、監視用ユニット３０は、図４に示すように、発振器３０５と、混合器３０８と、Ａ／Ｄ変換器３０９と、監視部３１０と、スイッチ３１１と、を有してなる。
【００６４】
発振器３０５は、予め規定された周波数で発振するローカル信号を出力する発振源（ローカル発振器）である。発振器３０５は、ローカル信号として、第１送信機１０Ａの発振器１０５Ａ及び第２送信機１０Ｂの発振器１０５Ｂと同じ周波数で発振する正弦波の高周波信号を出力する。
【００６５】
混合器３０８及びＡ／Ｄ変換器３０９は、第１送信機１０Ａ（第２送信機１０Ｂ）の混合器１０８Ａ（混合器１０８Ｂ）及びＡ／Ｄ変換器１０９Ａ（Ａ／Ｄ変換器１０９Ｂ）と同様の機能、性能を有している。
【００６６】
監視用ユニット３０の監視部３１０は、第１送信機１０Ａの増幅器１０６Ａで増幅された送信用信号（第１送信機１０Ａの出力とされる送信用信号）、及び、第２送信機１０Ｂの増幅器１０６Ｂで増幅された送信用信号（第２送信機１０Ｂの出力とされる送信用信号）の何れか一方を監視する。
監視部３１０は、上記送信用信号の品質の監視の結果を、第１送信機１０Ａの制御部１００Ａ及び第２送信機１０Ｂの制御部１００Ｂに向けて出力する。
なお、監視部３１０における監視の態様は、第１送信機１０Ａの監視部１１０Ａ及び第２送信機１０Ｂの監視部１１０Ｂにおいて行われる態様と同様とされる。
【００６７】
スイッチ３１１は、第１送信機１０Ａの分配器１０７Ａを介して取得された帰還信号と、第２送信機１０Ｂの分配器１０７Ｂを介して取得された帰還信号と、の入力を受け付けて、その何れか一方を選択して出力する。
【００６８】
ここで、第１送信機１０Ａが現用系とされ、第２送信機１０Ｂが待機系とされていた場合（即ち、出力選択部２１で第１送信機１０Ａが出力する送信用信号が最終出力として選択されていた場合）を考える。この場合、第１送信機１０Ａのスイッチ１１１Ａ、第２送信機１０Ｂのスイッチ及び監視用ユニット３０のスイッチ３１１においては、現用系である第１送信機１０Ａの分配器１０７Ａが出力する帰還信号が選択される。
これにより、監視用ユニット３０の監視部３１０には、第２送信機１０Ｂの分配器１０７Ａが出力する帰還信号から抽出された変調信号が入力され、第１送信機１０Ａの増幅器１０６Ａで増幅された送信用信号の監視がなされる。
【００６９】
同様に、第２送信機１０Ｂが現用系とされ、第１送信機１０Ａが待機系とされていた場合（即ち、出力選択部２１で第２送信機１０Ｂが出力する送信用信号が最終出力として選択されていた場合）を考える。この場合、第１送信機１０Ａのスイッチ１１１Ａ、第２送信機１０Ｂのスイッチ及び監視用ユニット３０のスイッチ３１１においては、現用系である第２送信機１０Ｂの分配器１０７Ｂが出力する帰還信号が選択される。
これにより、監視用ユニット３０の監視部３１０には、第２送信機１０Ｂの分配器１０７Ｂが出力する帰還信号から抽出された変調信号が入力され、第２送信機１０Ｂの増幅器１０６Ｂで増幅された送信用信号の監視がなされる。
【００７０】
（送信システムの動作）
図５は、第２の実施形態に係る送信システムの処理フローを示す図である。
図５に示す処理フローは、第２の実施形態に係る送信システム１の起動時に開始される。
まず、送信システム１の切替制御部２０は、出力選択部２１を通じて第１送信機１０Ａが出力する送信用信号を最終出力として選択する（ステップＳ０１）。即ち、ここで、第１送信機１０Ａが現用系とされ、第２送信機１０Ｂが待機系とされる。ここで、第１送信機１０Ａのスイッチ１１１Ａ、第２送信機１０Ｂのスイッチ１１１Ｂ、及び、監視用ユニット３０のスイッチ３１１は、いずれも、第１送信機１０Ａの分配器１０７Ａを介して取得される帰還信号を選択する。
【００７１】
待機系である第２送信機１０Ｂの監視部１１０Ｂ、及び、監視用ユニット３０の監視部３１０は、それぞれ、第１送信機１０Ａの分配器１０７Ａが出力する帰還信号に基づいて、第１送信機１０Ａの増幅器１０６Ａで増幅された送信用信号の監視を行う（ステップＳ０２）。ここで、第２送信機１０Ｂの制御部１００Ｂは、監視部１１０Ｂによる監視の結果、及び、監視部３１０による監視の結果の両方に異常がみられない場合は、第１送信機１０Ａを現用系とする運転を継続する（ステップＳ０２：ＹＥＳ）。
【００７２】
第１送信機１０Ａを現用系とする運転の継続中において、第２送信機１０Ｂの監視部１１０Ｂの監視の結果、又は、監視用ユニット３０の監視部３１０の監視の結果の少なくとも何れか一方に異常が検出された場合（ステップＳ０２：ＮＯ）、第２送信機１０Ｂの制御部１００Ｂは、監視部１１０Ｂ、監視部３１０の何れで異常が検出されたかを判定する（ステップＳ０３）。
【００７３】
監視部１１０Ｂ及び監視部３１０の両方で異常が検出された場合（ステップＳ０３：“両方”）、制御部１００Ｂは、第１送信機１０Ａに何らかの異常が生じたものとみなし、第１送信機１０Ａについての異常発報信号を出力する。これにより、第１送信機１０Ａにおける異常の発生が通知される。また、切替制御部２０は、当該異常発報信号を受け付けると、出力選択部２１における選択を、第１送信機１０Ａが出力する送信用信号から第２送信機１０Ｂが出力する送信用信号に切り替える（ステップＳ０４）。これにより、正常な第２送信機１０Ｂを現用系とする運転がなされる。
【００７４】
一方、監視部１１０Ｂのみで異常が検出された場合（ステップＳ０３：“監視部１１０Ｂのみ”）、制御部１００Ｂは、第１送信機１０Ａではなく、第２送信機１０Ｂの方に何らかの異常が生じたものとみなし、第２送信機１０Ｂについての異常発報信号を出力する。これにより、第２送信機１０Ｂにおける異常の発生が通知される（ステップＳ０５）。
【００７５】
また、監視部３１０のみで異常が検出された場合（ステップＳ０３：“監視部３１０のみ”）、制御部１００Ｂは、監視用ユニット３０に何らかの異常が生じたものとみなし、監視用ユニット３０についての異常発報信号を出力する。これにより、監視用ユニット３０における異常の発生が通知される（ステップＳ０６）。
【００７６】
なお、図５に示すフローチャートは、ステップＳ０１で第１送信機１０Ａを現用系として選択する場合について記載したものであるが、ステップＳ０１で第２送信機１０Ｂを現用系として選択する場合であっても同様のフローチャートで実施可能である。ただし、この場合、第１送信機１０Ａのスイッチ１１１Ａ、第２送信機１０Ｂのスイッチ１１１Ｂ、及び、監視用ユニット３０のスイッチ３１１は、いずれも、第２送信機１０Ｂの分配器１０７Ｂを介して取得される帰還信号を選択する。
【００７７】
（作用効果）
以上、第２の実施形態に係る送信システム１によれば、第１送信機１０Ａの発振器１０５Ａと同じ周波数のローカル信号を出力する発振器３０５と、第１送信機１０Ａの増幅器１０６Ａで増幅された送信用信号を監視する監視部３１０と、を有する監視用ユニット３０を更に備えている。
このようにすることで、監視用ユニット３０の監視部３１０の監視の結果を参照することで、第１送信機１０Ａ及び第２送信機１０Ｂのいずれに実際に異常が生じているかを精度よく判別することができる。
【００７８】
また、第２の実施形態に係る送信システム１によれば、出力選択部２１は、第１送信機１０Ａの監視部１１０Ａ及び第２送信機１０Ｂの監視部１１０Ｂの少なくとも何れか一方が異常を検出し、かつ、監視用ユニット３０の監視部３１０が異常を検出した場合に、最終出力とする選択を切り替える。
このようにすることで、待機系の送信機及び監視用ユニット３０の両方が異常を検出していることをもって、現用系の送信機に異常が生じているものと判定し、最終出力とする選択を切り替える。したがって、現用系の送信機に異常が生じた場合において、当該現用系の送信機の出力から待機系の送信機の出力への自動切り替えを一層精度よく行うことができる。
【００７９】
（第２の実施形態の変形例）
以上、第２の実施形態に係る送信システム１について詳細に説明したが、送信システム１の具体的な態様は、上述のものに限定されることはなく、要旨を逸脱しない範囲内において種々の設計変更等を加えることは可能である。
【００８０】
図６は、第２の実施形態の変形例に係る送信システムの機能構成を示す図である。
図６に示すように、第２の実施形態の変形例に係る第２送信機１０Ｂは、第１の実施形態の変形例（図３）で説明した比較部１１２Ｂを備えている。また、監視用ユニット３０は、更に、変調器３０１と、比較部３１２と、を備えている。
【００８１】
監視用ユニット３０の変調器３０１は、第１送信機１０Ａの変調器１０１Ａ及び第２送信機１０Ｂの変調器１０１Ｂと同様の機能、性能を有している。
また、監視用ユニット３０の比較部３１２は、第２送信機１０Ｂの比較部１１２Ｂと同様の機能、性能を有している。
以下、第１送信機１０Ａが現用系、第２送信機１０Ｂが待機系として運用されるものとして説明する。
【００８２】
第２送信機１０Ｂの比較部１１２Ｂは、第１の実施形態の変形例（図３）と同様に、第１送信機１０Ａの変調器１０１Ａで生成された変調信号と、第２送信機１０Ｂの変調器１０１Ｂで生成された変調信号と、の入力を受け付けて両者を比較する。そして、比較部１１２Ｂは、比較の結果（両者が一致しているか否か）を逐次制御部１００Ｂに向けて出力する。
一方、監視用ユニット３０の比較部３１２は、第１送信機１０Ａの変調器１０１Ａで生成された変調信号と、監視用ユニット３０の変調器３０１で生成された変調信号と、の入力を受け付けて両者を比較する。そして、比較部３１２は、比較の結果（両者が一致しているか否か）を逐次制御部１００Ｂに向けて出力する。
【００８３】
制御部１００Ｂは、比較部１１２Ｂによる比較の結果に基づいて、第１送信機１０Ａの変調器１０１Ａで生成された変調信号と、第２送信機１０Ｂの変調器１０１Ｂで生成された変調信号と、が一致しているか否かを把握することができる。同様に、制御部１００Ｂは、比較部３１２による比較の結果に基づいて、第１送信機１０Ａの変調器１０１Ａで生成された変調信号と、監視用ユニット３０の変調器３０１で生成された変調信号と、が一致しているか否かを把握することができる。
【００８４】
ここで、制御部１００Ｂは、現用系である第１送信機１０Ａの変調器１０１Ａで生成された変調信号が、第２送信機１０Ｂの変調器１０１Ｂで生成された変調信号、及び、監視用ユニット３０の変調器３０１で生成された変調信号の両方に一致しなかった場合には、現用系である第１送信機１０Ａの変調器１０１Ａに異常が生じたものとみなし、異常発報信号を出力する。
このようにすることで、変調器１０１Ａについても、待機系の送信機及び監視用ユニット３０の両方が異常を検出していることをもって、現用系の送信機に異常が生じているものと判定し、最終出力とする選択を切り替える。したがって、現用系の送信機の変調器に異常が生じた場合において、当該現用系の送信機の出力から待機系の送信機の出力への自動切り替えを一層精度よく行うことができる。
【００８５】
なお、第２送信機１０Ｂが現用系として運用される場合には、監視用ユニット３０の比較部３１２は、第２送信機１０Ｂの変調器１０１Ｂが生成する変調信号と、監視用ユニット３０の変調器３０１が生成する変調信号と、の比較を行うものとする。
【００８６】
また、第２の実施形態及びその変形例においては、監視用ユニット３０は、予め予備として保管される部品（ユニット）であって、第１送信機１０Ａ、第２送信機１０Ｂに組み込まれる変調ユニット等であるものとして説明したが、他の実施形態においてはこの態様に限定されない。
例えば、監視用ユニット３０は、第１送信機１０Ａ、第２送信機１０Ｂと同様の機能、性能を有する送信機そのもの（第３送信機）であってもよい。
【００８７】
また、第１、第２の実施形態及びその変形例において、送信システム１への入力信号は、「映像信号」であるものとして説明したが、他の実施形態においてはこの態様に限定されない。即ち、送信システム１への入力信号とは、デジタルラジオ等に用いられる「音声信号」やその他の各種デジタルデータであってもよい。
また、第１、第２の実施形態及びその変形例において、発振器１０５Ａ、１０５Ｂ（、３０５）が出力するローカル信号は、予め規定された一の周波数で発振するものとして説明したが、他の実施形態においてはこの態様に限定されない。即ち、発振器１０５Ａ、１０５Ｂ（、３０５）は、周波数シンセサイザのように、任意の周波数で発振可能な装置であってもよい。
【００８８】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００８９】
１  送信システム
１０Ａ  第１送信機
１００Ａ  制御部
１０１Ａ  変調器
１０２Ａ  歪み補償部
１０３Ａ  Ｄ／Ａ変換器
１０４Ａ  混合器
１０５Ａ  発振器
１０６Ａ  増幅器
１０７Ａ  分配器
１０８Ａ  混合器
１０９Ａ  Ａ／Ｄ変換器
１１０Ａ  監視部
１１１Ａ  スイッチ
１０Ｂ  第２送信機
１００Ｂ  制御部
１０１Ｂ  変調器
１０２Ｂ  歪み補償部
１０３Ｂ  Ｄ／Ａ変換器
１０４Ｂ  混合器
１０５Ｂ  発振器
１０６Ｂ  増幅器
１０７Ｂ  分配器
１０８Ｂ  混合器
１０９Ｂ  Ａ／Ｄ変換器
１１０Ｂ  監視部
１１１Ｂ  スイッチ
１１２Ｂ  比較部
２０  切替制御部
２１  出力選択部
３０  監視用ユニット
３０１  変調器
３０５  発振器
３０８  混合器
３０９  Ａ／Ｄ変換器
３１０  監視部
３１１  スイッチ
３１２  比較部
９  送信システム
【図１】
0006520368.tif 000002
【図２】
0006520368.tif 000003
【図３】
0006520368.tif 000004
【図４】
0006520368.tif 000005
【図５】
0006520368.tif 000006
【図６】
0006520368.tif 000007